(57)【特許請求の範囲】
【請求項１】
液晶パネルと、
前記液晶パネルに光を提供するｎ個の発光ブロックで分けられている光源ユニットと、
前記光源ユニットから照射される光を反射するサイド部材と、
前記サイド部材から反射する光によって決定される反射輝度を利用して前記ｎ個の発光ブロックの各発光ブロックの最終輝度を決定し、前記最終輝度に対応する最終光データを提供するタイミングコントローラと、
前記最終光データに応答して前記各発光ブロックの輝度を制御するバックライトドライバと、
を含む液晶表示装置。
【請求項２】
前記タイミングコントローラは、
映像データの提供を受けて前記映像データに対応する前記各発光ブロックの初期輝度を決定し、
前記初期輝度と前記反射輝度とに基づいて、前記各発光ブロックの最終輝度を決定する請求項１に記載の液晶表示装置。
【請求項３】
前記タイミングコントローラは、
映像データの提供を受けて第ｉ（１≦ｉ≦ｎ）発光ブロックのターゲット輝度を決定し、
前記第ｉ発光ブロックのターゲット輝度に基づき、前記第ｉ発光ブロックのターゲット輝度よりも低い前記第ｉ発光ブロックの初期輝度を決定し、
第ｊ（１≦ｊ≦ｎ、ｊ≠ｉ）発光ブロックから広がる光によって決定される前記第ｉ（１≦ｉ≦ｎ）発光ブロックに対する前記第ｊ発光ブロックのスプレディング（ｓｐｒｅａｄｉｎｇ）輝度を決定し、
前記第ｉ発光ブロックの初期輝度と、前記反射輝度と、前記第ｊ発光ブロックのスプレディング輝度と、を加えて第ｉ発光ブロックの中間輝度を決定し、
前記第ｉ発光ブロックのターゲット輝度と前記第ｉ発光ブロックの中間輝度とを比較し、当該比較した結果に応じて前記第ｉ発光ブロックの中間輝度を補正して前記第ｉ発光ブロックの前記最終輝度を決定する請求項１または２に記載の液晶表示装置。
【請求項４】
前記タイミングコントローラは、
映像データの提供を受けて第ｉ（１≦ｉ≦ｎ）発光ブロックのターゲット輝度を決定し、
前記第ｉ発光ブロックのターゲット輝度に基づき、前記ターゲット輝度よりも低い前記第ｉ発光ブロックの初期輝度を決定し、
前記第ｊ（１≦ｊ≦ｎ、ｊ≠ｉ）発光ブロックから広がる光によって決定される前記第ｉ（１≦ｉ≦ｎ）発光ブロックに対する前記第ｊ発光ブロックのスプレディング（ｓｐｒｅａｄｉｎｇ）輝度を決定し、
前記第ｉ発光ブロックの初期輝度と、前記反射輝度と、前記第ｊ発光ブロックのスプレディング輝度と、を加えて第ｉ発光ブロックの第１中間輝度を決定し、
前記第１中間輝度に対応する中間光データを提供し、前記中間光データに応答して前記多数の発光ブロックが発散する光によって測定された第２中間輝度と前記ターゲット輝度を比較し、当該比較した結果に応じて前記中間光データを補正して前記最終光データを提供する請求項１から３のいずれかに記載の液晶表示装置。
【請求項５】
前記タイミングコントローラは、
映像データの提供受けて第ｉ（１≦ｉ≦ｎ）発光ブロックのターゲット輝度を決定するターゲット輝度決定部と、
前記第ｉ発光ブロックのターゲット輝度に基づき、前記ターゲット輝度よりも低い前記第ｉ発光ブロックの初期輝度を決定する初期輝度決定部と、
前記第ｊ（１≦ｊ≦ｎ、ｊ≠ｉ）発光ブロックから広がる光によって決定される前記第ｉ（１≦ｉ≦ｎ）発光ブロックに対する前記第ｊ発光ブロックのスプレディング（ｓｐｒｅａｄｉｎｇ）輝度を決定し、前記初期輝度と、前記反射輝度と、前記スプレディング輝度と、を加えて第ｉ発光ブロックの中間輝度を決定する中間輝度決定部と、
前記ターゲット輝度と前記中間輝度を比較する比較部と、
を含む請求項１から４のいずれかに記載の液晶表示装置。
【請求項６】
前記液晶パネルは前記第１から第ｎ発光ブロックと対応される前記第１から第ｎ表示ブロックに区分され、
前記各発光ブロックは前記対応される各表示ブロックに表示される映像によって輝度が制御される請求項１から５のいずれかに記載の液晶表示装置。
【請求項７】
光を反射するサイド部材に囲まれて多数の発光ブロックで分けられた光源ユニットに光データを提供するタイミングコントローラにおいて、
映像データの提供を受けて第ｉ（１≦ｉ≦ｎ）発光ブロックのターゲット輝度を決定するターゲット輝度決定部と、
前記第ｉ発光ブロックのターゲット輝度に基づき、前記ターゲット輝度よりも低い前記第ｉ発光ブロックの初期輝度を決定する初期輝度決定部と、
第ｊ（１≦ｊ≦ｎ、ｊ≠ｉ）発光ブロックから広がる光によって決定される前記第ｉ（１≦ｉ≦ｎ）発光ブロックに対する前記第ｊ発光ブロックのスプレディング（ｓｐｒｅａｄｉｎｇ）輝度を決定し、前記第ｉ発光ブロックに対する前記第ｊ発光ブロックの反射輝度を決定し、前記初期輝度と、前記反射輝度と、前記スプレディング輝度と、を加えて第ｉ発光ブロックの中間輝度を決定する中間輝度決定部であって、前記第ｉ発光ブロックに対する前記第ｊ発光ブロックの反射輝度は前記第ｊ発光ブロックから発散された光が前記サイド部材によって反射されて前記反射された光によって決定された輝度の中間輝度決定部と、
前記中間輝度と前記ターゲット輝度を比較する比較部と、
前記比較結果に応じ前記中間輝度を補正して前記第ｉ発光ブロックの最終輝度を決定し、前記最終輝度に対応する前記光データを提供する補正部と、
を含むタイミングコントローラ。
【請求項８】
前記サイド部材が第１から第ｎ発光ブロックを囲み、前記第ｉ発光ブロックが前記第ｊ発光ブロックを基準として第ｉ位置に存在し、前記第ｉ発光ブロックは前記サイド部材を基準として前記サイド部材外部の第ｋ仮想発光ブロックと対称とされ、前記第ｋ仮想発光ブロックは前記第ｊ発光ブロックを基準として第ｋ位置に存在する場合、
前記中間輝度決定部は、
第ｉスプレディング係数と前記第ｊ発光ブロックの初期輝度を乗じて前記第ｉ発光ブロックに対する前記第ｊ発光ブロックのスプレディング輝度を決定し、
第ｋスプレディング係数と前記第ｊ発光ブロックの初期輝度を乗じて前記第ｋ仮想発光ブロックに対する第ｊ発光ブロックのスプレディング輝度を決定し、
前記第ｋ仮想発光ブロックに対する前記第ｊ発光ブロックのスプレディング輝度と前記サイド部材の反射係数を乗じて前記第ｉ発光ブロックに対する前記第ｊ発光ブロックの反射輝度を決定し、
前記第ｉ発光ブロックの初期輝度と、前記第ｉ発光ブロックに対する前記第ｊ発光ブロックのスプレディング輝度と、前記第ｉ発光ブロックに対する前記第ｊ発光ブロックの反射輝度と、を加えて前記第ｉ発光ブロックの最終輝度を決定する請求項７に記載のタイミングコントローラ。
【請求項９】
液晶パネルと、多数の発光ブロックで分かれる光源ユニットと、前記光源ユニットから照射される光を反射するサイド部材と、を含む液晶表示装置を駆動する駆動方法であって、
前記サイド部材から前記反射する光によって決定される反射輝度を利用して前記多数の発光ブロックの各発光ブロックの最終輝度を決定する段階と、
前記最終輝度に対応する光データを提供する段階と、
前記光データに応答して前記各発光ブロックの輝度を制御する段階と、
を含む液晶表示装置の駆動方法。
【請求項１０】
前記各発光ブロックの最終輝度を決定する段階は、
映像データを提供する段階と、
前記映像データに対応する前記発光ブロックの初期輝度を決定する段階と、
他の前記発光ブロックから広がる光によって決定されるスプレディング（ｓｐｒｅａｄｉｎｇ）輝度を決定する段階と、
前記初期輝度と、前記反射輝度と、前記スプレディング輝度と、を加える段階と、
を含む請求項９に記載の液晶表示装置の駆動方法。
【発明の詳細な説明】
【技術分野】
【０００１】
本発明はタイミングコントローラ、タイミングコントローラを含む液晶表示装置および液晶表示装置の駆動方法に関するものである。
【背景技術】
【０００２】
液晶表示装置は画素電極が具備された第１表示板、共通電極が具備された第２表示板、第１表示板と第２表示板の間に注入された誘電率異方性（ｄｉｅｌｅｃｔｒｉｃ  ａｎｉｓｏｔｒｏｐｙ）を有する液晶層を有する液晶パネルを含む。画素電極と共通電極の間に電界が形成され、この電界の強度が調節されることによって液晶パネルを透過する光の量が制御されて望む画像が表示される。
【０００３】
このような液晶表示装置は自体発光型表示装置ではないため、多数の発光素子を含む。タイミングコントローラは各発光素子を制御するための光データを提供する。
【特許文献１】韓国特許公開１０−２００７−００６７９５８号公報
【発明の開示】
【発明が解決しようとする課題】
【０００４】
本発明が解決しようとする課題は、表示品質を向上させることができるタイミングコントローラを提供することにある。
【０００５】
本発明が解決しようとする他の課題は、表示品質を向上させることができる液晶表示装置を提供することにある。
【０００６】
本発明が解決しようとするまた他の課題は、表示品質を向上させることができる液晶表示装置の駆動方法を提供することにある。
【０００７】
本発明の技術的課題は以上で言及した技術的課題に制限されず、言及されていないまた他の技術的課題は下の記載から当業者に明確に理解され得るものである。
【課題を解決するための手段】
【０００８】
前記技術的課題を達成するための本発明のタイミングコントローラの実施形態は、光を反射するサイド部材に囲まれて多数の発光ブロックで分けられた光源ユニットに光データを提供するタイミングコントローラであって、映像データの提供を受けて第ｉ（１≦ｉ≦ｎ）発光ブロックのターゲット輝度を決定するターゲット輝度決定部と、前記第ｉ発光ブロックのターゲット輝度に基づき、前記ターゲット輝度よりも低い前記第ｉ発光ブロックの初期輝度を決定する初期輝度決定部と、第ｊ（１≦ｊ≦ｎ、ｊ≠ｉ）発光ブロックから広がる光によって決定される前記第ｉ（１≦ｉ≦ｎ）発光ブロックに対する前記第ｊ発光ブロックのスプレディング（ｓｐｒｅａｄｉｎｇ）輝度を決定し、前記第ｉ発光ブロックに対する前記第ｊ発光ブロックの反射輝度を決定し、前記初期輝度と、前記反射輝度と、前記スプレディング輝度と、を加えて第ｉ発光ブロックの中間輝度を決定する中間輝度決定部であって、前記第ｉ発光ブロックに対する前記第ｊ発光ブロックの反射輝度は前記第ｊ発光ブロックから発散された光が前記サイド部材によって反射されて前記反射された光によって決定された輝度の中間輝度決定部と、前記中間輝度と前記ターゲット輝度を比較する比較部および前記比較した結果に応じ前記中間輝度を補正して前記第ｉ発光ブロックの最終輝度を決定し、前記最終輝度に対応する前記光データを提供する補正部と、を含む。
【０００９】
前記他の技術的課題を達成するための本発明の液晶表示装置の実施形態は、液晶パネルと、前記液晶パネルに光を提供し、ｎ個の発光ブロックで分けられている光源ユニットと、前記光源ユニットから照射される光を反射するサイド部材と、前記サイド部材から反射する光によって決定される反射輝度を利用して前記ｎ個の発光ブロックの各発光ブロックの最終輝度を決定し、前記最終輝度に対応する最終光データを提供するタイミングコントローラと、前記最終光データに応答して前記各発光ブロックの輝度を制御するバックライトドライバと、を含む。
【００１０】
前記また他の技術的課題を達成するための本発明の液晶表示装置の駆動方法の実施形態は、液晶パネルと、多数の発光ブロックで分けられている光源ユニットと、前記光源ユニットから照射される光を反射するサイド部材を含む液晶表示装置を提供し、前記各発光ブロックの最終輝度を決定するものの、前記サイド部材から前記反射される光によって決定される反射輝度を利用して前記最終輝度を決定し、前記最終輝度に対応する光データを提供し、前記光データに応答して前記各発光ブロックの輝度を制御するものを含む。
【００１１】
その他実施形態の具体的な事項は詳細な説明および図面に含まれている。
【発明の効果】
【００１２】
前記したようなタイミングコントローラ、タイミングコントローラを含む液晶表示装置および液晶表示装置の駆動方法によれば、表示品質が向上される。
【発明を実施するための最良の形態】
【００１３】
本発明の利点および特徴、そしてそれらを達成する方法は添付される図面と共に詳細に後述されている実施形態を参照すれば明確になるであろう。しかし本発明は以下で開示される実施形態に限定されるものではなく、互いに異なる多様な形態で具現されることができ、単に本実施形態は本発明の開示が完全なようにして、本発明が属する技術分野で通常の知識を有する者に発明の範疇を完全に知らせるために提供されるものであり、本発明は請求項の範疇によってのみ定義される。明細書全体にかけて、同一参照符号は同一構成要素を指称する。
【００１４】
一つの素子（ｅｌｅｍｅｎｔｓ）が他の素子と“連結された（ｃｏｎｎｅｃｔｅｄ  ｔｏ）”あるいは“カップリングされた（ｃｏｕｐｌｅｄ  ｔｏ）”と指称されるものは、他の素子と直接連結あるいはカップリングされた場合、あるいは中間に他の素子を介在した場合をすべて含む。反面、一つの素子が異なる素子と“直接連結された（ｄｉｒｅｃｔｌｙ  ｃｏｎｎｅｃｔｅｄ  ｔｏ）”あるいは“直接カップリングされた（ｄｉｒｅｃｔｌｙ  ｃｏｕｐｌｅｄ  ｔｏ）”と指称されるものは中間に他の素子を介在しないものを表す。明細書全体にかけて同一参照符号は同一構成要素を指称する。“および／あるいは”は言及されたアイテムの各々および一つ以上のすべての組合を含む。
【００１５】
たとえ第１、第２等が多様な素子、構成要素および／あるいはセクションを叙述するために使用されるが、これら素子、構成要素および／あるいはセクションはこれらの用語によって制限されないことはもちろんである。これらの用語は単に一つの素子、構成要素あるいはセクションを他の素子、構成要素あるいはセクションと区別するために使用するものである。したがって、以下で言及される第１素子、第１構成要素あるいは第１セクションは本発明の技術的思想内で第２素子、第２構成要素あるいは第２セクションであり得ることはもちろんである。
【００１６】
本明細書で使用された語は実施形態を説明するためであり、本発明を制限しようとするものではない。本明細書において、単数型は文句で特別に言及しない限り複数型も含む。明細書で使用される“含む（ｃｏｍｐｒｉｓｅｓ）”および／あるいは“含む（ｃｏｍｐｒｉｓｉｎｇ）”は言及された構成要素、段階、動作および／あるいは素子は一つ以上の他の構成要素、段階、動作および／あるいは素子の存在あるいは追加を排除しない。
【００１７】
他の定義がなければ、本明細書で使用されるすべての用語（技術および科学的用語を含む）は本発明が属する技術分野で通常の知識を有する者に共通に理解され得る意味で使用されるものである。また一般的に使用される辞典に定義されている用語は明白に特別に定義されていない限り理想的にあるいは過度に解釈されない。
【００１８】
請求項のタイミングコントローラは以下で開示されるタイミングコントローラ、第１タイミングコントローラおよび第２タイミングコントローラのうち何れか一つであり得る。
【００１９】
図１ないし図５Ｅを参照して本発明の一実施形態によるタイミングコントローラ、これを含む液晶表示装置および液晶表示装置の駆動方法を説明する。図１は本発明の一実施形態による液晶表示装置の分解斜視図であり、図２は本発明の一実施形態によるタイミングコントローラ、これを含む液晶表示装置および液晶表示装置の駆動方法を説明するための液晶表示装置のブロック図であり、図３は一つの画素の等価回路図であり、図４は図２の第２タイミングコントローラを説明するためのブロック図であり、図５Ａは図１の液晶パネル、サイド部材および多数の発光ブロックを表す斜視図であり、図５Ｂないし図５Ｅは図４の中間輝度決定部の動作を説明するための概念図である。
【００２０】
図１および図２を参照すれば、液晶表示装置１０は液晶パネルアッセンブリ３０と、バックライトアッセンブリ８０と、トップシャーシ２０およびボトムシャーシ７０を含む。
【００２１】
液晶パネルアッセンブリ３０は液晶パネル３００と、ゲートドライバ４００と、データドライバ５００と、タイミングコントローラ８００を含む。
【００２２】
液晶パネル３００は多数の表示ブロック（ＤＢｉ）に区分されることができ、各表示ブロック（ＤＢｉ）は多数の画素を含む。液晶パネル３００は多数のゲートライン（Ｇ１〜Ｇｋ）と多数のデータライン（Ｄ１〜Ｄｊ）を含む。
【００２３】
図３に一つの画素に対する等価回路が図示されている。画素（ＰＸ）、例えばｆ番目（ｆ＝１〜ｋ）ゲートライン（Ｇｆ）とｇ番目（ｇ＝１〜ｊ）データ線（Ｄｇ）に連結された画素（ＰＸ）は、ゲートライン（Ｇｆ）およびデータライン（Ｄｇ）に連結されたスイッチ素子（Ｑｐ）と、これに連結された液晶キャパシタ（ｌｉｑｕｉｄ  ｃｒｙｓｔａｌ  ｃａｐａｃｉｔｏｒ）（Ｃｌｃ）および維持キャパシタ（ｓｔｏｒａｇｅ  ｃａｐａｃｉｔｏｒ）（Ｃｓｔ）を含む。液晶キャパシタ（Ｃｌｃ）は第１表示板１００の画素電極（ＰＥ）と、第２表示板２００の共通電極（ＣＥ）を含む。共通電極（ＣＥ）の一部には色フィルタ（ＣＦ）が形成されている。
【００２４】
ゲートドライバ４００は第１タイミングコントローラ６００からゲート制御信号（ＣＯＮＴ２）を提供されてゲート信号をゲートライン（Ｇ１〜Ｇｋ）に印加する。ここでゲート信号はゲートオン／オフ電圧発生部（未図示）から提供されたゲートオン電圧（Ｖｏｎ）とゲートオフ電圧（Ｖｏｆｆ）の組み合わせからなる。ゲート制御信号（ＣＯＮＴ２）はゲートドライバ４００の動作を制御するための信号であって、ゲートドライバ４００の動作を開始する垂直同期開始信号、ゲートオン電圧の出力時期を決定するゲートクロック信号およびゲートオン電圧のパルス幅を決定する出力イネイブル信号などを含み得る。
【００２５】
データドライバ５００は第１タイミングコントローラ６００からデータ制御信号（ＣＯＮＴ１）を提供されて映像データ電圧をデータライン（Ｄ１〜Ｄｊ）に印加する。データ制御信号（ＣＯＮＴ１）はＲ、Ｇ、Ｂ信号（Ｒ、Ｇ、Ｂ）に対応する映像データおよびデータドライバ５００の動作を制御する信号を含む。データドライバ５００の動作を制御する信号はデータドライバ５００の動作を開始する水平同期開始信号および映像データ電圧の出力を指示する出力指示信号などを含み得る。
【００２６】
ゲートドライバ４００あるいはデータドライバ５００は可撓性印刷回路フィルム（ｆｌｅｘｉｂｌｅ  ｐｒｉｎｔｅｄ  ｃｉｒｃｕｉｔ  ｆｉｌｍ）（未図示）の上に装着されてテープキャリアパッケージ（ｔａｐｅ  ｃａｒｒｉｅｒ  ｐａｃｋａｇｅ）の形態で液晶パネル３００に付着され得ることもあり得る。これとは異なり、ゲートドライバ４００あるいはデータドライバ５００は表示信号線（Ｇ１〜Ｇｋ、Ｄ１〜Ｄｊ）とスイッチ素子（Ｑｐ）などと共に液晶パネル３００に集積されることもあり得る。
【００２７】
回路基板１６０にはゲートドライバ４００に提供されるゲート制御信号（ＣＯＮＴ２）を生成する回路と、データドライバ５００に提供されるデータ制御信号（ＣＯＮＴ１）を生成する回路実装されることができる。例えば、タイミングコントローラ８００が実装されることができる。
【００２８】
このような液晶パネルアッセンブリ１００はバックライトアッセンブリ８０上部に位置して光の提供を受けて映像を表わす。
【００２９】
バックライトアッセンブリ８０はサイド部材４０、光学シート５０、光学プレート６０、多数の発光ブロック（ＬＢ）に分けられた光源ユニットを含み得る。
【００３０】
サイド部材４０は液晶パネルアッセンブリ１００を支持し、光学シート５０、光学プレート６０および光源ユニット、すなわち多数の発光ブロック（ＬＢ）ら収納する。サイド部材４０の内側面は多数の発光ブロック（ＬＢ）から発散された光を反射する機能をすることができる。
【００３１】
光学シート５０は光学プレート６０上部に設置され、数の発光ブロック（ＬＢ）から発散される光を拡散して集光する役割をし、光学プレート６０は多数の発光ブロック（ＬＢ）の上部に設置することができ、多数の発光ブロック（ＬＢ）から発生した光の輝度均一性を向上させる役割することができる。
【００３２】
多数の発光ブロック（ＬＢ）は光を発散する。各発光ブロック（ＬＢ）は発光素子を含み、発光素子は発光ダイオード（ＬＥＤ）であり得る。各発光ブロック（ＬＢ）の輝度は液晶パネル３００に表示される映像にともない制御され得る。例えば、液晶パネルが多数の発光ブロック（ＬＢ１〜ＬＢｎ）各々に対応する多数の表示ブロック（ＤＢｉ）に区分され得る。各発光ブロック（ＬＢ１〜ＬＢｎ）の輝度は対応する各表示ブロック（ＤＢｉ）の映像にともない制御され得る。
【００３３】
ボトムシャーシ７０およびトップシャーシ２０は液晶パネルアッセンブリ３０およびバックライトアッセンブリ８０を収納する。トップシャーシ２０はフック結合（未図示）および／あるいはねじ結合（未図示）をとおし、ボトムシャーシ７０と連結され得る。
【００３４】
タイミングコントローラ８００は機能的に第１タイミングコントローラ６００と第２タイミングコントローラ７００に区分され得る。第１タイミングコントローラ６００は液晶パネル３００に表示される映像を制御し、第２タイミングコントローラ７００は第１ないし第ｎバックライトドライバ（９００＿１〜９００＿ｎ）に光データ（ＬＤＡＴ）を提供することができる。
【００３５】
第１タイミングコントローラ６００と第２タイミングコントローラ７００が物理的に分離されないこともある。あるいは第１タイミングコントローラ６００と第２タイミングコントローラ７００が物理的に分離されることもあり得る。例えば、第１タイミングコントローラ６００は回路基板１６０に実装され、第２タイミングコントローラ７００はボトムシャーシ７０の背面に位置して多数の発光ブロック（ＬＢ）と連結され得る。
【００３６】
第１タイミングコントローラ６００は外部のグラフィック制御機（未図示）からＲ、Ｇ、Ｂ信号（Ｒ、Ｇ、Ｂ）およびこれの表示を制御する外部制御信号（Ｖｓｙｎｃ、Ｈｓｙｎｃ、Ｍｃｌｋ、ＤＥ）を受信する。Ｒ、Ｇ、Ｂ信号（Ｒ、Ｇ、Ｂ）および外部制御信号（Ｖｓｙｎｃ、Ｈｓｙｎｃ、Ｍｃｌｋ、ＤＥ）に基づいてデータ制御信号（ＣＯＮＴ１）およびゲート制御信号（ＣＯＮＴ２）を生成する。外部制御信号の例としては垂直同期信号（Ｖｓｙｎｃ）と水平同期信号（Ｈｓｙｎｃ）、メインクロック（Ｍｃｌｋ）、データイネイブル信号（ＤＥ）等がある。
【００３７】
第２タイミングコントローラ７００はＲ、Ｇ、Ｂ信号（Ｒ、Ｇ、Ｂ）の入力を受け、シリアルバス（ＳＢ）をとおし第１ないし第ｎバックライトドライバ（９００＿１〜９００＿ｎ）に光データ（ＬＤＡＴ）を提供することができる。例えば、シリアルバス（ＳＢ）はＩ２Ｃバス（Ｉｎｔｅｒ  Ｉｎｔｅｇｒａｔｅｄ  Ｃｉｒｃｕｉｔ  Ｂｕｓ）であり得る。ただしこれに限定されず、多様な方法で第２タイミングコントローラ７００が第１ないし第ｎバックライトドライバ（９００＿１〜９００＿ｎ）に光データ（ＬＤＡＴ）を提供することができる。第２タイミングコントローラ７００の詳細な説明は後述する。
【００３８】
バックライトドライバ（９００＿１〜９００＿ｎ）は光データ（ＬＤＡＴ）に応答して各発光ブロック（ＬＢ１〜ＬＢｎ）の輝度を制御する。例えばバックライトドライバ（９００＿１〜９００＿ｎ）は光データ（ＬＤＡＴ）に応答してパルス幅変調信号を出力して各発光ブロック（ＬＢ）の輝度を制御することができる。あるいはバックライトドライバ（９００＿１〜９００＿ｎ）は光データ（ＬＤＡＴ）に応答して各発光ブロック（ＬＢ）に提供される電流量を調節し、各発光ブロック（ＬＢ１〜ＬＢｎ）の輝度を制御することができる。本発明で各バックライトドライバ（９００＿１〜９００＿ｎ）が各発光ブロック（ＬＢ１〜ＬＢｎ）を制御する方法はこれに限定されない。
【００３９】
以下で第２タイミングコントローラ７００に対して詳細に説明する。
【００４０】
図２および図４を参照すれば、第２タイミングコントローラ７００は初期輝度決定部７１０と最終輝度決定部７２０を含み得る。初期輝度決定部７１０は、例えば第ｉ表示ブロック（ＤＢｉ）に提供されるＲ、Ｇ、Ｂ信号（Ｒ、Ｇ、Ｂ）の入力を受けて第ｉ発光ブロック（ＬＢ）の初期輝度を決定する。最終輝度決定部７２０は初期輝度情報（ＩＢ）の入力を受けて第ｉ発光ブロック（ＬＢｉ）の最終輝度を決定する。最終輝度決定部７２０は、第ｉ発光ブロック（ＬＢｉ）の初期輝度とサイド部材４０から反射されて第ｉ発光ブロック（ＬＢｉ）に提供される光によって決定される反射輝度と、第ｊ（１≦ｊ≦ｎ、ｉ≠ｊ）発光ブロック（ＬＢｊ）から広がって第ｉ発光ブロック（ＬＢｉ）に提供される光によって決定される第ｉ発光ブロック（ＬＢｉ）に対する第ｊ発光ブロック（ＬＢｊ）のスプレディング（ｓｐｒｅａｄｉｎｇ）輝度を加えて第ｉ発光ブロック（ＬＢｉ）の最終輝度を決定することができる。そして、最終輝度決定部７２０は最終輝度に対応する光データ（ＬＤＡＴ）を第ｉ発光ブロック（ＬＢｉ）に提供することができる。
【００４１】
以下で図５Ａないし図５Ｅを参照してさらに具体的に説明する。図５Ａには説明の便宜上多数の表示ブロック（ＤＢｉ）で区分される液晶パネル３００と、多数の発光ブロック（ＬＢｉ）と、多数の発光ブロック（ＬＢｉ）を囲んで収納するサイド部材４０のみを図示した。第ｉ表示ブロック（ＤＢｉ）は第ｉ発光ブロック（ＬＢｉ）と対応される。
まず、初期輝度決定部７１０が各表示ブロック（ＤＢｉ）の初期輝度を決定する方法を説明する。
【００４２】
初期輝度決定部７１０は、例えば第ｉ表示ブロック（ＤＢｉ）に提供されるＲ、Ｇ、Ｂ信号（Ｒ、Ｇ、Ｂ）の入力を受けて第ｉ発光ブロック（ＬＢｉ）の初期輝度を決定する。例えば液晶パネル３００の中心部に表示される映像が液晶パネル３００の端より明るい映像が表示される場合、図５Ｂに図示したように、初期輝度決定部７１０によって各発光ブロック（ＬＢ１〜ＬＢ４２）の初期輝度が決定される。すなわち、第１発光ブロックないし第４２発光ブロック（ＬＢ１〜ＬＢ４２）のうち、中心部の第２１発光ブロック（ＬＢ）の初期輝度は１５０ｎｉｔであり、端の第１発光ブロック（ＬＢ１）の初期輝度は２０ｎｉｔであり、第７発光ブロック（ＬＢ７）の初期輝度は５０ｎｉｔであり得る。ここで初期輝度決定部７１０は、Ｒ、Ｇ、Ｂ信号（Ｒ、Ｇ、Ｂ）に対する初期輝度が保存されたルックアップテーブル（未図示）を利用することができる。
【００４３】
次に、最終輝度決定部７２０が各表示ブロック（ＬＢ１〜ＬＢ４２）の中間輝度を決定する方法を説明する。最終輝度決定部７２０は、第ｉ（１≦ｉ≦４２）発光ブロック（ＬＢ）に対する第ｊ（１≦ｊ≦４２、ｊ≠ｉ）発光ブロック（ＬＢ）のスプレディング（ｓｐｒｅａｄｉｎｇ）輝度と、サイド部材４０から反射されて第ｉ（１≦ｉ≦４２）発光ブロック（ＬＢｉ）に提供される光によって決定される反射輝度を決定し、初期輝度とスプレディング輝度と反射輝度を加えて最終輝度を決定する。
【００４４】
まず、図５Ｂないし図５Ｄを参照して最終輝度決定部７２０が第ｉ（１≦ｉ≦４２）発光ブロック（ＬＢｉ）に対する前記第ｊ（１≦ｊ≦４２、ｊ≠ｉ）発光ブロック（ＬＢｊ）のスプレディング（ｓｐｒｅａｄｉｎｇ）輝度を決定する方法を説明する。
【００４５】
例えば第１発光ブロック（ＬＢ１）、第２発光ブロック（ＬＢ２）、第８発光ブロック（ＬＢ８）、第１３発光ブロック（ＬＢ１３）および第１４発光ブロック（ＬＢ１４）から発散される光が広がって第７発光ブロック（ＬＢ７）に提供される。第ｊ（ｊ＝１、２、８、１３、１４）発光ブロック（ＬＢｊ）から広がる光の強度は第ｊ（ｊ＝１、２、８、１３、１４）発光ブロック（ＬＢｊ）の初期輝度と、第ｊ（ｊ＝１、２、８、１３、１４）発光ブロック（ＬＢｊ）と第７発光ブロック（ＬＢ７）間の位置によって決定される。例えば第ｊ（ｊ＝１、２、８、１３、１４）発光ブロック（ＬＢｊ）の初期輝度が大きいほど、第ｊ（ｊ＝１、２、８、１３、１４）発光ブロック（ＬＢｊ）と第７発光ブロック（ＬＢ７)が近いほど、第７発光ブロック（ＬＢ）に対する前記第ｊ（ｊ＝１、２、８、１３、１４）発光ブロック（ＬＢｊ）のスプレディング輝度は大きいこともあり得る。
【００４６】
最終輝度決定部７２０は第７発光ブロック（ＬＢ７）に対する前記第１発光ブロック（ＬＢ１）のスプレディング輝度を決定するために図５Ｃに図示されたウインドウ（ｗｉｎｄｏｗ）（Ｗ）を利用することができる。図５Ｃに図示されたウインドウ（Ｗ）は例えば、５×５行列形態であって、一つの基準ウインドウ（ＣＷ）と多数のサブウインドウ（ｓｕｂ  ｗｉｎｄｏｗ）（ＳＷ）を含み、基準ウインドウ（ＣＷ）を除外して各サブウインドウ（ＳＷ）にはスプレディング係数が存在する。
【００４７】
例えば、第ｉ（２≦ｉ≦４２）発光ブロック（ＬＢｉ）に対する前記第１発光ブロック（ＬＢ１）のスプレディング輝度を決定するために、図５Ｃに図示されたウインドウ（Ｗ）を、基準ウインドウ（ＣＷ）が第１発光ブロック（ＬＢ１）とオーバーラップするように位置させる。ここで第２発光ブロック（ＬＢ２）に対する第１発光ブロック（ＬＢ）のスプレディング輝度は６（＝０．３×２０）ｎｉｔとなる。すなわち、第２発光ブロック（ＬＢ２）に対する第１発光ブロック（ＬＢ１）のスプレディング輝度は第２発光ブロック（ＬＢ）とオーバーラップするサブウインドウ（Ｗ）のスプレディング係数（０．３）と第１発光ブロック（ＬＢ１）の初期輝度２０の倍である。また、第７発光ブロック（ＬＢ７）に対する第１発光ブロック（ＬＢ）のスプレディング輝度は１０（＝０．５×２０）ｎｉｔとなる。
【００４８】
ここでスプレディング係数は第ｉ（１≦ｉ≦４２）発光ブロック（ＬＢｉ）と第ｊ（ｉ≠ｊ）発光ブロック（ＬＢｊ）間の位置によって異なる。図示していないが、基準ウインドウ（ＣＷ）を第２発光ブロック（ＬＢ２）とオーバーラップするようにウインドウ（Ｗ）を位置させれば、第ｉ（１≦ｉ≦４２、ｉ≠２）発光ブロック（ＬＢｉ）に対する第２発光ブロック（ＬＢ２）のスプレディング輝度が決定される。このような方式で基準ウインドウ（ＣＷ）が各発光ブロック（ＬＢｊ）とオーバーラップされるようにウインドウ（Ｗ）を順次に位置させれば、第ｉ（１≦ｉ≦４２）発光ブロック（ＬＢ）に対する第ｊ（ｉ≠ｊ）発光ブロック（ＬＢｊ）のスプレディング輝度が決定される。
【００４９】
次に、図５Ｄおよび図５Ｅを参照して最終輝度決定部７２０が第ｉ（１≦ｉ≦ｎ）発光ブロック（ＬＢｉ）に対する第ｊ（ｉ≠ｊ）発光ブロック（ＬＢｊ）の反射輝度を決定する方法を説明する。
【００５０】
まず、図５Ｅを参照すれば、例えば第１発光ブロック（ＬＢ）から発散された光はサイドモールド４０によって反射され、反射された光は第７発光ブロック（ＬＢ７）に提供される。例えば、サイドモールド４０が図５Ｅのように第１方向の第１内側面４１と第２方向の第２内側面４２を含み、第１内側面４１の第１反射係数（α）と、第２内側面４２の第２反射係数（β）が存在する時、第７発光ブロック（ＬＢ７）に対する第１発光ブロック（ＬＢ１）の反射輝度は、第１発光ブロック（ＬＢ１）の初期輝度２０と、第１反射係数（α）および第２反射係数（β）によって決定される。
【００５１】
一方、図５Ｄで、サイド部材４０がないと仮定すれば、第１発光ブロック（ＬＢ１）から広がる光が多数の仮想発光ブロック（ＩＬＢ１〜ＩＬＢ３）に提供される。例えば、第１仮想発光ブロック（ＩＬＢ１）に対する第１発光ブロック（ＬＢ１）のスプレディング輝度は２（＝０．１×２０）ｎｉｔとなる。また第２仮想発光ブロック（ＩＬＢ２）に対する第１発光ブロック（ＬＢ１）のスプレディング輝度は４（＝０．２×２０）ｎｉｔであり、第３仮想発光ブロック（ＩＬＢ３）に対する第１発光ブロック（ＬＢ１）のスプレディング輝度は２（＝０．１×２０）ｎｉｔとなる。しかしサイド部材４０が存在するため、第１ないし第３仮想発光ブロック（ＩＬＢ１〜ＩＬＢ３）に提供された光はサイド部材４０によって反射され、サイド部材４０内部の第７発光ブロック（ＬＢ７）に伝達される。
【００５２】
ここで第１仮想発光ブロック（ＩＬＢ１）は第１内側面４１を基準として第７発光ブロック（ＬＢ７）と対称される。したがって、第１仮想発光ブロック（ＩＬＢ１）に対する第１発光ブロック（ＬＢ１）のスプレディング輝度に第１反射係数（α）が乗じた輝度が第７発光ブロック（ＬＢ７）に提供される。また第２仮想発光ブロック（ＩＬＢ２）は第２内側面４２を基準として第７発光ブロック（ＬＢ７）と対称される。したがって、第２仮想発光ブロック（ＩＬＢ２）に対する第１発光ブロック（ＬＢ１）のスプレディング輝度に第２反射係数（β）が乗じた輝度が第７発光ブロック（ＬＢ７）に提供される。また、第３仮想発光ブロック（ＩＬＢ３）は第１内側面４１および第２内側面４２を基準として第７発光ブロック（ＬＢ７）と対称される。したがって、第３仮想発光ブロック（ＩＬＢ３）に対する第１発光ブロック（ＬＢ１）のスプレディング輝度に第１反射係数（α）と第２反射係数（β）が乗じた輝度が第７発光ブロック（ＬＢ７）に提供される。このような方法で最終輝度決定部７１０が第ｉ（１≦ｉ≦４２）発光ブロック（ＬＢｉ）に対する第ｊ（ｉ≠ｊ）発光ブロック（ＬＢｊ）の反射輝度を決定する。
【００５３】
次に、最終輝度決定部７２０は、決定された第ｉ（１≦ｉ≦４２）発光ブロック（ＬＢｉ）の初期輝度と、第ｉ発光ブロック（ＬＢｉ）に対する第ｊ（ｉ≠ｊ）発光ブロック（ＬＢｊ）のスプレディング輝度と第ｉ（１≦ｉ≦４２）発光ブロック（ＬＢｉ）に対する第ｊ（ｉ≠ｊ）発光ブロック（ＬＢｊ）の反射輝度を加えて第ｉ（１≦ｉ≦４２）発光ブロック（ＬＢｉ）の最終輝度を決定する。また、最終輝度決定部７２０は最終輝度に対応する光データ（ＬＤＡＴ）をバックライトドライバ（９００＿１〜９００＿ｎ）に提供する。
【００５４】
整理して説明すれば、タイミングコントローラ８００がサイド部材４０による反射輝度を考慮して最終輝度を決定し、最終輝度に対する光データ（ＬＤＡＴ）を提供するため、各発光ブロック（ＬＢ１〜ＬＢｎ）の輝度を精密に制御することができる。したがって液晶表示装置１０の表示品質が向上される。
【００５５】
図６を参照して、本発明の他の実施形態によるタイミングコントローラ、これを含む液晶表示装置および液晶表示装置の駆動方法を説明する。図６は本発明の他の実施形態によるタイミングコントローラ、これを含む液晶表示装置および液晶表示装置の駆動方法を説明するためのブロック図である。図２および図４に図示された構成要素と同一な機能をする構成要素に対しては同一な図面符号を私用し、説明の便宜上該当する構成要素に対する詳細な説明は省略する。
【００５６】
図６を参照すれば、上記実施形態とは異なり、タイミングコントローラ８０１はターゲット輝度決定部７３１をさらに含み、最終輝度決定部７２１は中間輝度決定部７４１と比較部７５１と補正部７６１を含む。
【００５７】
ターゲット輝度決定部７３１は、例えば第ｉ表示ブロック（ＤＢｉ）に提供されるＲ、Ｇ、Ｂ信号（Ｒ、Ｇ、Ｂ）の入力を受けてＲ、Ｇ、Ｂ信号（Ｒ、Ｇ、Ｂ）に対応する第ｉ発光ブロック（ＬＢｉ）のターゲット輝度を決定し、ターゲット輝度情報（ＴＢ）を初期輝度決定部７１１に提供する。初期輝度決定部７１１はターゲット輝度情報（ＴＢ）の入力を受け、第ｉ発光ブロック（ＬＢｉ）のターゲット輝度と対応されてターゲット輝度より低い前記第ｉ発光ブロック（ＬＢｉ）の初期輝度を決定し、初期輝度情報（ＩＢ）を中間輝度決定部７４１に提供する。中間輝度決定部７４１は、前述したように、第ｉ発光ブロック（ＬＢｉ）の初期輝度を利用し、第ｉ発光ブロック（ＬＢｉ）に対する第ｊ（ｉ≠ｊ）発光ブロック（ＬＢｊ）のスプレディング輝度と第ｉ発光ブロック（ＬＢｉ）に対する第ｊ（ｉ≠ｊ）発光ブロック（ＬＢｊ）の反射輝度を決定する。そして、中間輝度決定部７４１は第ｉ発光ブロック（ＬＢｉ）の初期輝度と、第ｉ発光ブロック（ＬＢｉ）に対する第ｊ（ｉ≠ｊ）発光ブロック（ＬＢｊ）のスプレディング輝度と第ｉ発光ブロック（ＬＢｉ）に対する第ｊ（ｉ≠ｊ）発光ブロック（ＬＢｊ）の反射輝度を加えて中間輝度を決定し、中間輝度情報（ＭＢ）を比較部７５１に提供する。比較部７５１はターゲット輝度情報（ＴＢ）と中間輝度情報（ＭＢ）の入力を受け、ターゲット輝度情報（ＴＢ）と中間輝度情報（ＭＢ）を比較し、比較結果（ＣＢ）を補正部７６１に提供する。補正部７６１は比較結果（ＣＢ）の入力を受けて光データ（ＬＤＡＴ）を出力する。例えば、中間輝度とターゲット輝度が一致すれば、補正部７６１は中間輝度を補正せず、中間輝度を最終輝度と決定し、中間輝度に対応する光データ（ＬＤＡＴ）を提供する。あるいは中間輝度とターゲット輝度が一致しなければ、中間輝度を補正して最終輝度を決定し、最終輝度に対応する光データ（ＬＤＡＴ）を提供する。
【００５８】
例を挙げて具体的に説明する。ターゲット輝度決定部７３１は第ｉ表示ブロック（ＤＢｉ）に対応されるＲ、Ｇ、Ｂ信号（Ｒ、Ｇ、Ｂ）の入力を受けて第ｉ発光ブロック（ＬＢｉ）のターゲット輝度を４００ｎｉｔと決定し、ターゲット輝度情報（ＴＢ）を初期輝度決定部７１１に提供することができる。ここでターゲット輝度決定部７３１は第ｉ表示ブロック（ＤＢｉ）に提供されるＲ、Ｇ、Ｂ信号（Ｒ、Ｇ、Ｂ）の代表値を決定し、第ｉ表示ブロック（ＤＢｉ）の代表値にともないターゲット輝度を決定することができる。第ｉ表示ブロック（ＤＢ）の代表値は第ｉ表示ブロック（ＤＢｉ）に提供されるＲ、Ｇ、Ｂ信号（Ｒ、Ｇ、Ｂ）の平均値であり得る。あるいは第ｉ表示ブロック（ＤＢｉ）の代表値は第ｉ表示ブロック（ＤＢｉ）に提供されるＲ、Ｇ、Ｂ信号（Ｒ、Ｇ、Ｂ）の最大値であり得る。ただし、ターゲット輝度決定部７３１が第ｉ発光ブロック（ＬＢｉ）のターゲット輝度を決定する方法はこれに限定されない。
【００５９】
初期輝度決定部７１１はターゲット輝度４００ｎｉｔより低い２５０ｎｉｔを初期輝度として決定することができる。ここで初期輝度決定部７１０はターゲット輝度に対応される初期輝度が保存されたルックアップテーブル（未図示）を利用することができる。
【００６０】
中間輝度決定部７４１は、第ｉ発光ブロック（ＬＢｉ）に対する第ｊ（ｉ≠ｊ）発光ブロック（ＬＢｊ）のスプレディング輝度を７０ｎｉｔと決定し、第ｉ発光ブロック（ＬＢｉ）に対する第ｊ（ｉ≠ｊ）発光ブロック（ＬＢｊ）の反射輝度を６０ｎｉｔと決定することができる。そして、中間輝度決定部７４１は第ｉ発光ブロック（ＬＢｉ）の初期輝度２５０ｎｉｔと、第ｉ発光ブロック（ＬＢｉ）に対する第ｊ（ｉ≠ｊ）発光ブロック（ＬＢｊ）のスプレディング輝度７０ｎｉｔと、第ｉ発光ブロック（ＬＢｉ）に対する第ｊ（ｉ≠ｊ）発光ブロック（ＬＢｊ）の反射輝度６０ｎｉｔを加え、第ｉ発光ブロック（ＬＢｉ）の中間輝度を３８０ｎｉｔと決定することができる。中間輝度決定部７４１は中間輝度情報（ＭＢ）を比較部７５１に提供する。
【００６１】
比較部７５１はターゲット輝度情報（ＴＢ）と中間輝度情報（ＭＢ）の入力を受けてこれらを比較する。ターゲット輝度が４００ｎｉｔであり、中間輝度が３８０ｎｉｔであるため、比較部７５１は中間輝度がターゲット輝度より２０ｎｉｔ低いという比較結果（ＣＢ）を補正部７６１に提供する。
【００６２】
補正部７６１は比較結果（ＣＢ）を利用して中間輝度を補正して最終輝度を決定し、最終輝度に対応する光データ（ＬＤＡＴ）を提供する。例えば、補正部７６１は第ｉ発光ブロック（ＬＢ）の初期輝度を高めて第ｉ発光ブロック（ＬＢ）の中間輝度を高めることができる。あるいは補正部７６１は、第ｊ（ｉ≠ｊ）発光ブロック（ＬＢｊ）の輝度を高めて第ｉ発光ブロック（ＬＢｉ）に対する第ｊ（ｉ≠ｊ）発光ブロック（ＬＢｊ）のスプレディング輝度を高めることによって、第ｉ発光ブロック（ＬＢｉ）の中間輝度を高めることができる。
【００６３】
図７を参照して、本発明のまた他の実施形態によるタイミングコントローラ、これを含む液晶表示装置および液晶表示装置の駆動方法を説明する。図７は本発明のまた他の実施形態によるタイミングコントローラ、これを含む液晶表示装置および液晶表示装置の駆動方法を説明するためのブロック図である。図６に図示された構成要素と同一な機能をする構成要素に対しては同一な図面符号を使用し、説明の便宜上該当する構成要素に対する詳細な説明は省略する。
【００６４】
図７を参照すれば、上記実施形態とは異なり、第１タイミングコントローラ６０２がターゲット輝度決定部６３２を含む。
【００６５】
さらに具体的に説明すれば、第１タイミングコントローラ６０２は制御信号生成部６１２と映像処理部６２２とターゲット輝度決定部６３２を含み得る。
【００６６】
制御信号生成部６１２は外部制御信号（Ｖｓｙｎｃ、Ｈｓｙｎｃ、Ｍｃｌｋ、ＤＥ）の入力を受けてデータ制御信号（ＣＯＮＴ１）およびゲート制御信号（ＣＯＮＴ２）を出力する。例えば、制御信号生成部６１２は図２のゲートドライバ４００の動作を開始する垂直同期開始信号（ＳＴＶ）、ゲートオン電圧の出力時期を決定するゲートクロック信号（ＣＰＶ）およびゲートオン電圧のパルス幅を決定する出力イネイブル信号（ＯＥ）、図１のデータドライバ５００の動作を開始する水平同期開始信号（ＳＴＨ）および映像データ電圧の出力を指示する出力指示信号（ＴＰ）を出力することができる。
【００６７】
映像処理部６２２は第ｉ表示ブロック（ＤＢ）のＲ、Ｇ、Ｂ信号（Ｒ、Ｇ、Ｂ）の入力を受けて信号処理して映像データ（ＤＡＴ）を出力する。
【００６８】
ターゲット輝度決定部６３２は第ｉ表示ブロック（ＤＢｉ）に対応するＲ、Ｇ、Ｂ信号（Ｒ、Ｇ、Ｂ）の入力を受け、第ｉ表示ブロック（ＤＢｉ）の代表値によってターゲット輝度を決定し、ターゲット輝度情報（ＴＢ）を第２タイミングコントローラ７０２に提供することができる。第ｉ表示ブロック（ＤＢ）の代表値は第ｉ表示ブロック（ＤＢ）に提供されるＲ、Ｇ、Ｂ信号（Ｒ、Ｇ、Ｂ）の平均値であり得る。あるいは第ｉ表示ブロック（ＤＢ）の代表値は第ｉ表示ブロック（ＤＢ）に提供されるＲ、Ｇ、Ｂ信号（Ｒ、Ｇ、Ｂ）の最大値であり得る。ただし、ターゲット輝度決定部６３２が第ｉ発光ブロック（ＬＢｉ）のターゲット輝度を決定する方法はこれに限定されない。
【００６９】
第２タイミングコントローラ７０２は初期輝度決定部７１１と、中間輝度決定部７４１と、比較部７５１と、補正部７６１を含む。第２タイミングコントローラ７０２は第１タイミングコントローラ６０２から第ｉ発光ブロック（ＬＢｉ）のターゲット輝度情報（ＴＢ）の入力を受けて光データ（ＬＤＡＴ）を出力する。
【００７０】
図８を参照して、本発明のまた他の実施形態によるタイミングコントローラ、これを含む液晶表示装置および液晶表示装置の駆動方法を説明する。図８は本発明のまた他の実施形態によるタイミングコントローラ、これを含む液晶表示装置および液晶表示装置の駆動方法を説明するためのブロック図である。図６および図７に図示された構成要素と同一な機能をする構成要素に対しては同一な図面符号を使用し、説明の便宜上該当する構成要素に対する詳細な説明は省略する。
【００７１】
図８を参照すれば、上記実施形態とは異なり、第２タイミングコントローラ７０３は図７の補正部７６１を含まず、比較部７５１が比較結果（ＣＢ）を第１タイミングコントローラ６０３に提供する。すなわち、タイミングコントローラ８０３は、ターゲット輝度と中間輝度が異なる場合、中間輝度を補正せず、映像データ（ＤＡＴ）の階調を変化させる。
【００７２】
さらに具体的に説明すれば、中間輝度決定部７４３は中間輝度を最終輝度として決定し、中間輝度に対応する光データ（ＬＤＡＴ）を出力する。比較部７５１は中間輝度情報（ＭＢ）とターゲット輝度情報（ＴＢ）の入力を受けて比較し、比較結果（ＣＢ）を映像処理部６２３に提供する。ターゲット輝度が中間輝度より高い場合、映像処理部６２３は入力されるＲ、Ｇ、Ｂ信号（Ｒ、Ｇ、Ｂ）に対応される階調よりさらに高い階調を有する映像データ（ＤＡＴ）を出力する。
【００７３】
すなわち、第ｉ発光ブロック（ＬＢｉ）の最終輝度がターゲット輝度より低くても、第ｉ表示ブロック（ＤＢｉ）に提供される映像データ（ＤＡＴ）の階調が高くなり、第ｉ表示ブロック（ＤＢｉ）の輝度はターゲット輝度と同じとなり得る。あるいは中間輝度がターゲット輝度より高い場合、映像処理部６２３は入力されるＲ、Ｇ、Ｂ信号（Ｒ、Ｇ、Ｂ）に対応される階調よりさらに低い階調を有する映像データ（ＤＡＴ）を出力する。すなわち、第ｉ発光ブロック（ＬＢｉ）の最終輝度がターゲット輝度より高くても、第ｉ表示ブロック（ＤＢｉ）に提供される映像データ（ＤＡＴ）の階調が低くなり、第ｉ表示ブロック（ＤＢ）の輝度はターゲット輝度と同じとなる。
【００７４】
本発明はここに限定されず、第２タイミングコントローラ７０３のターゲット輝度決定部７３１が第１タイミングコントローラ６０３内部に具備されることもあり得る。
【００７５】
図９を参照して、本発明のまた他の実施形態によるタイミングコントローラ、これを含む液晶表示装置および液晶表示装置の駆動方法を説明する。図９は本発明のまた他の実施形態によるタイミングコントローラ、これを含む液晶表示装置および液晶表示装置の駆動方法を説明するためのブロック図である。図６に図示された構成要素と同一な機能をする構成要素に対しては同一な図面符号を使用し、説明の便宜上該当する構成要素に対する詳細な説明は省略する。
【００７６】
図９を参照すれば、上記実施形態とは異なり、液晶表示装置１４は輝度感知部７７４をさらに含む。第２タイミングコントローラ７０４は中間輝度に対応する中間光データ（ＬＤＡＴ）をバックライトドライバ（９００＿ｉ）に提供し、輝度感知部７７４によって測定された第ｉ発光ブロック（ＬＢｉ）の輝度によって中間光データ（ＬＤＡＴ）を補正して最終光データ（ＬＤＡＴ）をバックライトドライバ（９００＿ｉ）に提供する。
【００７７】
さらに具体的に説明すれば、中間輝度決定部７４２は初期輝度情報（ＩＢ）の入力を受けて中間輝度を決定し、中間輝度に対応する中間光データ（ＬＤＡＴ＿Ｍ）を第ｉバックライトドライバ（９００＿ｉ）に提供する。第ｉバックライトドライバ（９００＿ｉ）は中間光データ（ＬＤＡＴ＿Ｍ）に応答して第ｉ発光ブロック（ＬＢｉ）の輝度を調節する。輝度感知部７７４は第ｉ発光ブロック（ＬＢｉ）が発散する光の入力を受けて、第ｉ発光ブロック（ＬＢｉ）の輝度を測定し、測定された輝度情報（ＭＢ）を比較部７５４に提供する。比較部７５４はターゲット輝度情報（ＴＢ）と測定された輝度情報（ＭＢ）の入力を受けて比較し、比較結果（ＣＢ）を補正部７６１に提供する。補正部７６１は例えば、測定された輝度とターゲット輝度が一致すれば、中間光データ（ＬＤＡＴ＿Ｍ）を補正せず、中間光データ（ＬＤＡＴ＿Ｍ）を最終光データ（ＬＤＡＴ）として、バックライトドライバー（９００＿ｉ）に提供する。あるいは測定された輝度とターゲット輝度が一致しなければ、中間光データ（ＬＤＡＴ＿Ｍ）を補正し、最終光データ（ＬＤＡＴ）をバックライトドライバ（９００＿ｉ）に提供する。
【００７８】
本発明はここに限定されず、第２タイミングコントローラ７０４のターゲット輝度決定部７３１が第１タイミングコントローラ６００内部に具備されることあり得る。また、第２タイミングコントローラ７０４が補正部７６１を含まないこともあり得、この場合、比較部７５１は比較結果（ＣＢ）を第１タイミングコントローラ６００に提供し、第１タイミングコントローラ６００は映像データ（ＤＡＴ）の階調を変化させることができる。
【００７９】
以上添付された図面を参照して本発明の実施形態を説明したが、本発明が属する技術分野で通常の知識を有する者は本発明の技術的思想や必須の特徴を変更せず、他の具体的な形態で実施され得るということを理解し得るものであろう。したがって以上で記述した実施形態はすべての面で例示的なものであり、限定的ではないことと理解しなければならない。
【産業上の利用可能性】
【００８０】
本発明はタイミングコントローラ、タイミングコントローラを含む液晶表示装置および液晶表示装置の駆動方法に利用され得る。
【図面の簡単な説明】
【００８１】
【図１】本発明の一実施形態による液晶表示装置の分解斜視図である。
【図２】本発明の一実施形態によるタイミングコントローラ、これを含む液晶表示装置および液晶表示装置の駆動方法を説明するための液晶表示装置のブロック図である。
【図３】一つの画素の等価回路図である。
【図４】図２の第２タイミングコントローラを説明するためのブロック図である。
【図５Ａ】図１の液晶パネル、サイド部材および多数の発光ブロックを表す斜視図である。
【図５Ｂ】図４の中間輝度決定部の動作を説明するための概念図である。
【図５Ｃ】図４の中間輝度決定部の動作を説明するための概念図である。
【図５Ｄ】図４の中間輝度決定部の動作を説明するための概念図である。
【図５Ｅ】図４の中間輝度決定部の動作を説明するための概念図である。
【図６】本発明の他の実施形態によるタイミングコントローラ、これを含む液晶表示装置および液晶表示装置の駆動方法を説明するためのブロック図である。
【図７】本発明のまた他の実施形態によるタイミングコントローラ、これを含む液晶表示装置および液晶表示装置の駆動方法を説明するためのブロック図である。
【図８】本発明のまた他の実施形態によるタイミングコントローラ、これを含む液晶表示装置および液晶表示装置の駆動方法を説明するためのブロック図である。
【図９】本発明のまた他の実施形態によるタイミングコントローラ、これを含む液晶表示装置および液晶表示装置の駆動方法を説明するためのブロック図である。
【符号の説明】
【００８２】
１０  液晶表示装置、
３００  液晶パネル、
４００  ゲートドライバ、
５００  データドライバ、
６００  第１タイミングコントローラ、
７００  第２タイミングコントローラ、
７１０  初期輝度決定部、
７２０  最終輝度決定部、
７２１  最終輝度決定部、
７３１  ターゲット輝度決定部、
７５１  比較部、
７６１  補正部、
７７４  輝度感知部、
９００＿１〜９００＿ｎ  バックライトドライバ。
【図１】
0005313517.tif 000002
【図２】
0005313517.tif 000003
【図３】
0005313517.tif 000004
【図４】
0005313517.tif 000005
【図５Ａ】
0005313517.tif 000006
【図５Ｂ】
0005313517.tif 000007
【図５Ｃ】
0005313517.tif 000008
【図５Ｄ】
0005313517.tif 000009
【図５Ｅ】
0005313517.tif 000010
【図６】
0005313517.tif 000011
【図７】
0005313517.tif 000012
【図８】
0005313517.tif 000013
【図９】
0005313517.tif 000014